(57)【要約】      （修正有）【課題】メガネフレームに用いられている十字穴付き小ねじの締め付け／弛め作業のときの、十字穴のつぶれを効果的に防ぐことが出来る十字ねじ回しを提供する。【解決手段】メガネ用の十字穴付き小ねじの締め付け／弛め作業に用いる十字ねじ回しにおいて、メガネ用の十字穴付き小ねじの頭部に穿設された十字穴に嵌め込まれるテーパ状に先細った４個の歯２をビット１の先端に放射状に設け、これら歯のテーパ角をビットの軸芯に対して２７°±１５′に設定した。【選択図】図５
0003234907.tif 000002
【実用新案登録請求の範囲】
【請求項１】
メガネ用の十字穴付き小ねじの頭部（４）に穿設された十字穴（５）に嵌め込まれるテーパ状に先細った４個の歯（２）がビット（１）の先端に放射状に設けられており、これら歯（２）のテーパ角（α）はビット（１）の軸芯（A）に対して２７°±１５′に設定されていることを特徴とするメガネ用の十字穴付き小ねじ（３）の締め付け／弛め作業に用いる十字ねじ回し。
【考案の詳細な説明】
【技術分野】
【０００１】
この考案はメガネ用の工具、詳しくは、メガネ用の十字穴付き小ねじの締め付け／弛め作業に用いるねじ回しに関するものである。
【背景技術】
【０００２】
メガネフレームには、頭部に十字穴が穿設された小ねじが多用されているが、このメガネ用の十字穴付き小ねじは極めて小さいという特徴がある。
【先行技術文献】
【特許文献】
【０００３】
【特許文献１】なし
【非特許文献】
【０００４】
【非特許文献１】なし
【考案の概要】
【考案が解決しようとする課題】
【０００５】
上述の通り、メガネ用の十字穴付き小ねじは極めて小さいので、頭部の十字穴も微小な為、ねじ回しによる締め付け／弛め作業の際に、十字穴をつぶしてしまう事態が多く発生していた。
【０００６】
大きさの大小を問わず、ねじ回しによるねじの締め付け／弛め作業を円滑に行う為には、ビットの先端がネジ頭部の十字穴に確実に嵌合し、ガタ付くことなく回転する力がねじにしっかりと伝わることが必要であるが、嵌合（喰い付き）が弱いと、ビットの先端が十字穴から浮びあがるカムアウトと称される現象が起こり、ねじの十字穴をつぶしてしまうことになり、大きさが極めて小さいメガネ用の十字付き小ねじの場合は、特にカムアウト現象が起こりやすく、十字穴をつぶすことなく締め付け／弛め作業を行うのは至難のわざであった。
【０００７】
十字穴付き小ねじの締め付け／弛め作業に用いるねじ回しにはいくつかの規格があり、メガネ業界においては、一般社団法人カメラ映像機器工業会の制定したCIPA規格に基づいて製作されたねじ回しが多く採用されている。しかし、小ねじにビットが確実に嵌合する様、十分配慮されたこのCIPA規格に基づいたねじ回しを用いても、実際の作業時にカムアウトが起きて十字穴をつぶしてしまうことがあった。
【０００８】
本考案者は、メガネ用の十字穴付き小ねじの締め付け／弛め作業の際に起こりがちなこのカムアウト現象を抑止し、十字穴がつぶれてしまう事態を避ける方策を鋭意追求した結果、今まであまり顧みられなかった十字穴に嵌め込まれるビットの先端に設けられた歯のテーパ角に着目し、これを調整することにより十字穴のつぶれを効果的に防ぐことが出来る十字ねじ回しを開発することに成功し、本考案としてここに提案するものである。
【課題を解決するための手段】
【０００９】
メガネ用の十字穴付き小ねじの締め付け／弛め作業に用いる十字ねじ回しにおいて、メガネ用の十字穴付き小ねじの頭部に穿設された十字穴に嵌め込まれるテーパ状に先細った４個の歯をビットの先端に放射状に設け、これら歯のテーパ角をビットの軸芯に対して２７°±１５′に設定することにより、上記課題を解決した。
【考案の効果】
【００１０】
ビットの先端に放射状に設けられた4個の歯のビット軸芯に対するテーパ角が２７ーア１５に設定されているので、ＣＩＰＡ規格に基づいて作られたものに比べ、メガネ用の十字穴付き小ねじの十字穴の角度に近く、十字穴と歯との接触面積がＣＩＰＡ規格のものより広くなり、これに伴い、歯が十字穴に確実に嵌合し、ガタ付くことなく回転力がメガネ用の十字穴付き小ねじにしっかり伝わる。
【００１１】
従って、メガネ用の十字穴付き小ねじの締め付け／弛め作業を確実円滑に行うことが出来、カムアウト現象が起こりにくく、十字穴をつぶしてしまう事態を防ぐことが出来る効果を有する。
【図面の簡単な説明】
【００１２】
【図１】この考案に係るメガネ用の十字穴付き小ねじの締め付け／弛め作業に用いるねじ回しのビット部分の側面図
【図２】同じく、その拡大斜視図
【図３】同じく、更に拡大した斜視図
【図４】同じく、更に拡大した正面図
【図５】図４における矢視Ｘ−Ｘ線断面図
【図６】図５における矢視Ｙ−Ｙ線断面図
【考案を実施するための形態】
【００１３】
メガネ用の十字穴付き小ねじの締め付け／弛め作業に用いる十字ねじ回しにおいて、メガネ用の十字穴付き小ねじの頭部に穿設された十字穴に嵌め込まれるテーパ状に先細った４個の歯をビットの先端に放射状に設け、これら歯のテーパ角をビットの軸芯に対して２７°±１５′に設定したことに最大の特徴が存する。
【実施例】
【００１４】
図１はこの考案に係るメガネ用の十字穴付き小ねじの締め付け／弛め作業に用いるねじ回しのビット部分の側面図、
図２はそのビット部分の拡大斜視図、図３は更に拡大した斜視図、図４は同じく、更に拡大した正面図、図５は図４における矢視Ｘ−Ｘ線断面図、図６は図５における矢視Ｙ−Ｙ線断面図であり、これら各図から明らかな通り、ビット１の先端にはテーパ状に先細った4個の歯2が放射状に設けられており、この歯２がメガネ用の十字穴付き小ねじ３の頭部４に穿設されている十字穴５に嵌合する様になっている。
【００１５】
メガネ業界において多く用いられているＣＩＰＡ規格においては、図３乃至図６に示す様に、ビット１の各部分について、図示の通りの寸法が規定されており、この実施例に示すビット１においても、これら各寸法の多くが採用されているが、歯２のビット１軸芯Ａに対するテーパ角痰ノついては、ＣＩＰＡ規格とは異なり、２７ーア１５  に設定されている。ちなみに、ＣＩＰＡ規格においては、このテーパ角痰ヘ２６ーア１５であり、この実施例のものは、ＣＩＰＡ規格よりテーパ角痰ェ大きくなっている。
【００１６】
この様に、この実施例においては、ビット１の先端に放射状に設けられた４個の歯２のビット軸芯Ａに対するテーパ角痰ェ２７  ーア１５に設定されているので、ＣＩＰＡ規格に基づいて作られたものに比べ、メガネ用の十字穴付き小ねじ３の十字穴５の角度に近く、十字穴５と歯２との接触面積がＣＩＰＡ規格のものより広くなり、これに伴い、歯２が十字穴５に確実に嵌合し、ガタ付くことなく回転力がメガネ用の十字穴付き小ねじ３にしっかり伝わる様になっている。従って、メガネ用の十字穴付き小ねじ３の締め付け／弛め作業を確実円滑に行うことが出来、カムアウト現象が起こりにくく、十字穴５をつぶしてしまう事態を防ぐことが出来る。
【産業上の利用可能性】
【００１７】
メガネの小売店などメガネ業界だけではなく、自身でメガネフレームの調整作業を行うメガネユーザーにとっても大いに利用価値がある。
【符号の説明】
【００１８】
１    ビット
２    歯
３    メガネ用の十字穴付き小ねじ
４    頭部
５    十字穴
【図１】
0003234907.tif 000003
【図２】
0003234907.tif 000004
【図３】
0003234907.tif 000005
【図４】
0003234907.tif 000006
【図５】
0003234907.tif 000007
【図６】
0003234907.tif 000008